(57)【要約】      （修正有）【課題】穀稈搬送装置において、上手側回転軸を搬送方向に位置変更させる位置調節作業を容易に行えるコンバインを提供する。【解決手段】下手側輪体と上手側輪体２５とにわたって複数の無端回動体２６が巻回され、上手側輪体２５を支持する上手側回転軸２４を搬送方向に沿って位置変更可能な位置調節機構４２に、搬送方向に沿って延びる調節用ネジ軸５３と、調節用ネジ軸５３と回転軸支持体４１とを連結する連結部５４と、調節用ネジ軸５３が移動可能に挿通する挿通部を有する規制案内部５６と、調節用ネジ軸５３に装着されたナット５７と、ナット５７と規制案内部５６とに亘る状態で調節用ネジ軸５３に外挿された圧縮バネ５８と、が備えられ、連結部５４が規制案内部５６に対して圧縮バネ５８とは反対側に位置している。【選択図】図４
2019187363.tif 000002
【特許請求の範囲】
【請求項１】
前部に設けられた刈取部と、前記刈取部の後部に接続され且つ前記刈取部にて刈取られた刈取穀稈の全稈を後方に向けて搬送する穀稈搬送装置とが備えられ、
前記穀稈搬送装置に、穀稈搬送用の搬送ケースと、前記搬送ケースの搬送方向下手側に位置する横向きの下手側回転軸と、前記下手側回転軸に備えられた下手側輪体と、前記搬送ケースの搬送方向上手側に位置する横向きの上手側回転軸と、前記上手側回転軸に備えられた上手側輪体と、前記下手側輪体と前記上手側輪体とにわたって巻回される複数の無端回動体と、複数の前記無端回動体にわたって横向きに架設される複数の搬送部材と、前記上手側回転軸をその軸芯周りで回転可能に支持するとともに前記搬送ケースに搬送方向に沿って位置変更可能に支持される回転軸支持体と、前記回転軸支持体の搬送方向に沿う位置を変更し且つ変更した位置で固定可能な位置調節機構とが備えられ、
前記位置調節機構に、搬送方向に沿って延びる調節用ネジ軸と、前記調節用ネジ軸と前記回転軸支持体とを連結する連結部と、前記搬送ケースに支持され且つ前記調節用ネジ軸が移動可能に挿通する挿通部を有する規制案内部と、前記調節用ネジ軸に装着されたナットと、前記ナットと前記規制案内部とに亘る状態で前記調節用ネジ軸に外挿された圧縮バネと、が備えられ、前記連結部が前記規制案内部に対して前記圧縮バネとは反対側に位置しているコンバイン。
【請求項２】
前記回転軸支持体が前記搬送ケースの内側に位置する状態で備えられ、
前記調節用ネジ軸が前記搬送ケースの外側に位置する状態で備えられ、
前記連結部に、前記調節用ネジ軸の軸端に連結されたフランジ部と、前記フランジ部と前記回転軸支持体とを前記搬送ケースの内外に亘る状態で連結する左右連結部とが備えられている請求項１に記載のコンバイン。
【請求項３】
前記規制案内部に、前記調節用ネジ軸が前記挿通部に向けて径方向に入り込み可能な切欠が形成され、
前記規制案内部と前記圧縮バネとの間、及び、前記ナットと前記圧縮バネとの間に夫々、座金が備えられている請求項１又は２に記載のコンバイン。
【請求項４】
前記ナットと前記圧縮バネとの間に備えられる前記座金に、前記圧縮バネの外周部において前記調節用ネジ軸の軸芯方向に沿って延びる円筒状部材が備えられている請求項３に記載のコンバイン。
【請求項５】
前記搬送ケースの外側面に、搬送方向に沿って延びる断面略Ｕ字形の横フレームが設けられ、
前記横フレームは、Ｕ字形の複数の面部分のうちの底面部が前記搬送ケースの外側面に接する状態で固定され、
前記調節用ネジ軸が、前記横フレームのＵ字形の複数の面部分で囲まれる内側領域に備えられ、
前記規制案内部が、前記横フレームの前記内側領域の内部において、前記内側領域の内面に固定される状態で上下に亘って設けられている請求項１から４のいずれか１項に記載のコンバイン。
【請求項６】
前記搬送ケースの外側面に、搬送方向に沿って間隔をあけて、前側フレームと後側フレームとが備えられ、
前記前側フレーム及び前記後側フレームは、前記搬送ケースの上下に亘る状態で設けられ、
前記横フレームは、前記前側フレームと前記後側フレームとに亘って設けられている請求項５に記載のコンバイン。
【発明の詳細な説明】
【技術分野】
【０００１】
本発明は、刈取部にて刈取られた刈取穀稈の全稈を後方に向けて搬送する穀稈搬送装置が備えられているコンバインに関する。
【背景技術】
【０００２】
コンバインの穀稈搬送装置は、穀稈搬送用の搬送ケースの内部に、搬送方向下手側に位置する横向きの下手側回転軸に備えられた下手側輪体と、搬送方向上手側に位置する横向きの上手側回転軸に備えられた上手側輪体とにわたって一対の無端回動チェーン（無端回動体に相当）が巻回され、無端回動チェーンに複数の搬送部材が備えられている。又、上手側回転軸をその軸芯周りで回転可能に支持する回転軸支持体が搬送ケースの内側に備えられ、回転軸支持体の搬送方向に沿う位置を変更調節可能な位置調節機構が備えられている。
【０００３】
位置調節機構には、搬送ケースの外側に位置して搬送方向に沿って延びる調節用ネジ軸が備えられ、調節用ネジ軸は、一体的に固定された支持ブラケットを介して、搬送方向に長い長孔を通して搬送ケースを挿通する連結ボルトにより回転軸支持体と連結される。調節用ネジ軸に圧縮バネが外挿され、圧縮バネの一端が搬送ケースに固定されたバネ受け部（規制案内部に相当）に受止め支持され、圧縮バネの他端が調節用ネジ軸に螺合されたナットにより受止め支持される構成となっている。そして、バネ受け部に対して支持ブラケットと圧縮バネとが同じ側に設けられる構成となっていた（例えば、特許文献１参照）。
【先行技術文献】
【特許文献】
【０００４】
【特許文献１】特開２０１７−３５０１７号公報
【発明の概要】
【発明が解決しようとする課題】
【０００５】
上記従来構成では、連結ボルトによる締結を緩めた状態で、調節用ネジ軸に螺合されたナットを回動操作することで、調節用ネジ軸を相対的に搬送方向に移動させることにより、回転軸支持体の搬送方向に沿う位置を変更させて、無端回動チェーンの張り具合を調整することができる。
【０００６】
上記従来構成では、ナットが圧縮バネと支持ブラケットとの間に位置しているので、ナットを回動操作する際には、調節用ネジ軸の径方向外方側から径方向に沿って、工具として、例えば、ナットに適合したスパナを差し込んで操作する必要がある。スパナを用いる場合には、ナットに装着して所定角度だけ回動させたのち、スパナを外して再度、装着して回動させるといった作業を繰り返し行わなければならない。しかも、狭い限られた空間で作業を行う必要があり、調節作業が行い難いものとなっていた。
【０００７】
そこで、上手側回転軸を搬送方向に位置変更させる位置調節作業を容易に行えるようにすることが望まれていた。
【課題を解決するための手段】
【０００８】
本発明に係るコンバインの特徴構成は、前部に設けられた刈取部と、前記刈取部の後部に接続され且つ前記刈取部にて刈取られた刈取穀稈の全稈を後方に向けて搬送する穀稈搬送装置とが備えられ、前記穀稈搬送装置に、穀稈搬送用の搬送ケースと、前記搬送ケースの搬送方向下手側に位置する横向きの下手側回転軸と、前記下手側回転軸に備えられた下手側輪体と、前記搬送ケースの搬送方向上手側に位置する横向きの上手側回転軸と、前記上手側回転軸に備えられた上手側輪体と、前記下手側輪体と前記上手側輪体とにわたって巻回される複数の無端回動体と、複数の前記無端回動体にわたって横向きに架設される複数の搬送部材と、前記上手側回転軸をその軸芯周りで回転可能に支持するとともに前記搬送ケースに搬送方向に沿って位置変更可能に支持される回転軸支持体と、前記回転軸支持体の搬送方向に沿う位置を変更し且つ変更した位置で固定可能な位置調節機構とが備えられ、前記位置調節機構に、搬送方向に沿って延びる調節用ネジ軸と、前記調節用ネジ軸と前記回転軸支持体とを連結する連結部と、前記搬送ケースに支持され且つ前記調節用ネジ軸が移動可能に挿通する挿通部を有する規制案内部と、前記調節用ネジ軸に装着されたナットと、前記ナットと前記規制案内部とに亘る状態で前記調節用ネジ軸に外挿された圧縮バネと、が備えられ、前記連結部が前記規制案内部に対して前記圧縮バネとは反対側に位置している点にある。
【０００９】
本構成によれば、調節用ネジ軸に圧縮バネが外挿され、調節用ネジ軸と回転軸支持体とが連結部にて連結される。調節用ネジ軸は搬送ケースに支持されている規制案内部における挿通部を移動可能に挿通する。そして、圧縮バネは規制案内部に対し連結部とは反対側に位置しており、ナットも同様に、規制案内部に対し連結部とは反対側に位置することになる。調節用ネジ軸におけるナットが螺合装着される箇所は、軸端部が片持ち状に延びる開放状態になる。
【００１０】
そうすると、ナットは、調節用ネジ軸のうち規制案内部及び連結部が存在しない側で、片持ち状に延びる箇所に螺合装着されるので、ナットに対して工具を装着する際、調節用ネジ軸の軸芯方向外方側から軸芯方向に移動させながら装着することができる。その結果、例えば、ナットに対して軸芯方向に沿って装着することが可能なソケットを有するラチェットレンチ等の工具を用いることができる。ラチェットレンチであれば、ハンドルを往復揺動させても、所定方向にのみ締め付けが可能であり、ナットの締め付け作業を容易に行うことが可能となる。
【００１１】
従って、狭い作業空間で行うような場合であっても、上手側回転軸を搬送方向に位置変更させる位置調節作業を容易に行えるようにすることが可能となった。
【００１２】
本発明においては、前記回転軸支持体が前記搬送ケースの内側に位置する状態で備えられ、前記調節用ネジ軸が前記搬送ケースの外側に位置する状態で備えられ、前記連結部に、前記調節用ネジ軸の軸端に連結されたフランジ部と、前記フランジ部と前記回転軸支持体とを前記搬送ケースの内外に亘る状態で連結する内外連通部とが備えられていると好適である。
【００１３】
本構成によれば、回転軸支持体が搬送ケースの内側に設けられることで、従動軸を安定的に支持することができ、搬送ケースの外側に調節用ネジ軸とその軸端に連結されたフランジ部とが設けられることで、調節用ネジ軸が搬送ケース内のワラ屑等の塵埃による影響を受けない状態で調節操作が可能となる。
フランジ部と回転軸支持体とを連結する内外連通部が搬送ケースの内外に亘る状態で設けられるが、この内外連通部は、回転軸支持体の搬送方向に沿う位置を変更可能なように融通が設けられることになる。
【００１４】
本発明においては、前記規制案内部に、前記調節用ネジ軸が前記挿通部に向けて径方向に入り込み可能な切欠が形成され、前記規制案内部と前記圧縮バネとの間、及び、前記ナットと前記圧縮バネとの間に夫々、座金が備えられていると好適である。
【００１５】
本構成によれば、規制案内部に対して調節用ネジ軸を装着するときは、切欠を通して外方側から径方向に沿って入り込むように装着することができ、容易に作業を行える。そして、規制案内部と圧縮バネとの間に座金が設けられることで、圧縮バネが規制案内部に形成された切欠に引っ掛かり損傷を与える等の不利のない状態で移動付勢することができる。
【００１６】
本発明においては、前記ナットと前記圧縮バネとの間に備えられる前記座金に、前記圧縮バネの外周部において前記調節用ネジ軸の軸芯方向に沿って延びる円筒状部材が備えられていると好適である。
【００１７】
本構成によれば、圧縮バネの外周が円筒状部材によって覆われるので、収穫作業に伴って発生する塵埃や泥土等が圧縮バネに飛散して付着し、早期に圧縮バネの付勢機能が損なわれる等の不利を回避することができる。
【００１８】
本発明においては、前記搬送ケースの外側面に、搬送方向に沿って延びる断面略Ｕ字形の横フレームが設けられ、前記横フレームは、Ｕ字形の複数の面部分のうちの底面部が前記搬送ケースの外側面に接する状態で固定され、前記調節用ネジ軸が、前記横フレームのＵ字形の複数の面部分で囲まれる内側領域に備えられ、前記規制案内部が、前記横フレームの前記内側領域の内部において、前記内側領域の内面に固定される状態で上下に亘って設けられていると好適である。
【００１９】
本構成によれば、横フレームは、断面略Ｕ字形に設けられ且つ底面部が搬送ケースの外側面に固定されているので、大きな支持強度を有する状態で強固に支持される。調節用ネジ軸は、横フレームの内側領域に備えられるので、作物等が横フレームに受け止められ調節用ネジ軸に接触することを回避して、調節用ネジ軸の耐久性を向上できる。また、規制案内部は、横フレームのＵ字形の内側領域の底面及び左右の側面部の夫々に連結することで、強固に支持することができる。
【００２０】
本発明においては、前記搬送ケースの外側面に、搬送方向に沿って間隔をあけて、前側フレームと後側フレームとが備えられ、前記前側フレーム及び前記後側フレームは、前記搬送ケースの上下に亘る状態で設けられ、前記横フレームは、前記前側フレームと前記後側フレームとに亘って設けられていると好適である。
【００２１】
本構成によれば、横フレームが、上下に亘って延びる前側フレームと後側フレームとによって前後両側が支持されるので、無端回動体の張力が掛かる箇所を強固な支持構造によって支持することができる。
【図面の簡単な説明】
【００２２】
【図１】コンバインの全体側面図である。
【図２】コンバインの全体平面図である。
【図３】フィーダの縦断側面図である。
【図４】フィーダ前部の横断平面図である。
【図５】フィーダ前部の横断平面図である。
【図６】フィーダ前部の左側面図である。
【図７】フィーダ前部の右側面図である。
【図８】左側の規制案内部を示す図である。
【図９】右側の規制案内部を示す図である。
【図１０】油圧シリンダ配設部の側面図である。
【図１１】ロック機構を示すフィーダの底面図である。
【発明を実施するための形態】
【００２３】
以下、本発明に係る普通型コンバインの実施形態を図面に基づいて説明する。
〔全体構成〕
図１、２に、稲、麦、大豆などの作物を収穫対象とする普通型のコンバインが示されている。この実施形態で、コンバインの走行機体の前後方向を定義するときは、作業状態における機体進行方向に沿って定義し、機体の左右方向を定義するときは、機体進行方向視で見た状態で左右を定義する。すなわち、図１，２に符号（Ｆ）で示す方向が機体前側、図１，２に符号（Ｂ）で示す方向が機体後側である。図２に符号（Ｌ）で示す方向が機体左側、図２に符号（Ｒ）で示す方向が機体右側である。従って、機体左右方向が走行機体横幅方向に対応する。
【００２４】
走行機体の機体フレーム１の下部に左右一対のクローラ走行装置２を装備している。走行機体の前方側に、収穫対象の作物を収穫し、搬送する収穫部３が設けられている。そして、機体フレーム１上に、収穫部３から搬送される作物としての刈取穀稈を扱き処理するとともに、その扱き処理で得られた脱穀処理物を穀粒と排出物とに選別する脱穀装置４、脱穀装置４にて得られた穀粒を貯留するグレンタンク５、グレンタンク５に貯留される穀粒を機外に排出するための穀粒排出装置６、操縦者が搭乗して運転操作を行うキャビン付きの運転部７等が備えられている。コンバインは、植立穀稈の株元を切断して刈り取り、刈り取った刈取穀稈の全部を脱穀装置４に投入する全稈投入型に構成されている。
【００２５】
運転部７は機体前部右側に位置し、運転部７の後方にグレンタンク５が位置している。さらに、脱穀装置４が左側に位置し、グレンタンク５が右側に位置する状態で、脱穀装置４とグレンタンク５とが左右方向に並ぶ状態で備えられている。運転部７の下方側には、駆動用のエンジン８が備えられている。
【００２６】
収穫部３は、前部に設けられた刈取部１０と、刈取部１０の後部に接続され且つ刈取部１０にて刈取られた刈取穀稈の全稈を後方に向けて搬送する穀稈搬送装置としてのフィーダ１１を備えている。刈取部１０は、収穫対象の作物としての植立穀稈を刈り取り、刈り取った収穫作物（刈取穀稈）を機体横幅中間部に横送り合流させる。フィーダ１１は、刈取部１０において合流された作物を脱穀装置４に向けて後方搬送する。これら刈取部１０とフィーダ１１を含む収穫部３は、機体フレーム１とフィーダ１１とにわたって架設された昇降用の油圧シリンダ１２が伸縮作動することで、横軸芯Ｐ１周りで昇降位置と下降位置との間で上下揺動自在に支持されている。
【００２７】
刈取部１０は、角パイプや断面Ｌ字形のアングル材等を連結して構成される刈取フレーム１３にて支持され、走行機体の最前端に設けられた左右一対のデバイダ１４と、デバイダ１４の後方かつ、上方に位置する掻込リール１５と、デバイダ１４の後方に位置する刈刃１６と、刈刃１６とフィーダ１１との間に位置する横送りオーガ１７とを備えている。デバイダ１４は、収穫対象となる植立穀稈と非刈取対象の植立穀稈とを分草する。掻込リール１５は、収穫対象の植立穀稈を後方に向けて掻き込む。刈刃１６は、掻込リール１５により後方に掻き込まれた収穫対象の植立穀稈の株元側を切断するものであり、例えばバリカン型に構成されている。横送りオーガ１７は、刈刃１６による切断後の刈取穀稈を左右方向の中間側に横送りして寄せ集めて後方に向けて送り出す。
【００２８】
〔フィーダ〕
フィーダ１１について説明する。
図３に示すように、フィーダ１１に、角筒状に形成された搬送用ケースとしてのフィーダケース１８が備えられている。フィーダケース１８内の搬送下手側箇所に、エンジン８からの動力が伝達されて駆動回転される横向きの下手側回転軸としての駆動軸１９が備えられている。図示はしていないが、駆動軸１９を回転可能に支持する支持筒部が左右一対の支点ブラケットを介して横軸芯Ｐ１周りで回動自在に脱穀装置４の前壁部に支持されている。フィーダケース１８の左右両側の側壁１８Ａが支持筒部に一体的に連結され、刈取部１０を含むフィーダ１１全体が横軸芯Ｐ１周りで上下揺動自在に脱穀装置４の前壁部に支持される構成となっている。
【００２９】
駆動軸１９は、断面が六角形に形成されている。この六角形の断面形状に対して嵌り合う六角形の嵌合孔を備えた下手側輪体としての左右一対の駆動スプロケット２２が、軸芯方向に沿って間隔をあけて一体回転可能に駆動軸１９に外嵌装着されている。図示しない伝動機構を介して駆動軸１９にエンジン８からの動力が伝達される。
【００３０】
フィーダケース１８内の機体前端側箇所に、横向きの上手側回転軸としての従動軸２４が、横向き軸芯周りで回転可能に架設支持されている。従動軸２４に一体回転可能に上手側輪体としてのドラム型の従動輪体２５が備えられている。そして、左右一対の駆動スプロケット２２の夫々と従動輪体２５とにわたって左右一対の無端回動チェーン２６が巻回張設されている。又、左右一対の無端回動チェーン２６に亘って複数の搬送部材２７が所定ピッチで横架連結されている。従動輪体２５の外周部には、左右一対の無端回動チェーン２６の横ずれを防止する左右一対の鍔部２８が一体的に備えられている（図４参照）。
【００３１】
駆動軸１９に動力が伝達されて一対の無端回動チェーン２６が同方向に一体的に回動することにより、刈取部１０から供給された作物を、フィーダケース１８内において、無端回動チェーン２６の下側の移動経路と底面部１８Ｂとの間において、搬送部材２７にて掻き上げ搬送して脱穀装置４に供給する。
【００３２】
次に、フィーダ１１における駆動軸１９周りの構成について説明する。
図３に示すように、駆動軸１９における一対の駆動スプロケット２２夫々の横方向中間側に隣接する箇所に、駆動軸１９に外挿される状態で一対の駆動スプロケット２２にわたって支持される円筒状の巻付き防止カバー２９が備えられている。図示はしないが、巻付き防止カバー２９は、左右の駆動スプロケット２２夫々の左右方向内方側の側面に形成された周溝に嵌まり込む状態で設けられている。
【００３３】
〔油圧シリンダ〕
図１に示すように、油圧シリンダ１２は、フィーダケース１８の底面部１８Ｂと機体フレーム１の前部との間に亘って連結されている。油圧シリンダ１２は、概ね円筒形状のシリンダチューブ１２ａと、ピストンロッド１２ｂとを有し、ピストンロッド１２ｂがシリンダチューブ１２ａに対して伸縮作動することにより、フィーダ１１及び刈取部１０を含む収穫部３全体を上下揺動可能である。
【００３４】
油圧シリンダ１２は、収穫部３を機体横幅方向中間部でバランスよく支持するために、図１１に示すように、機体横幅中間部に近い位置に配置されている。図１０に示すように、シリンダチューブ１２ａの基端部が機体フレーム１のブラケット３０に対して横軸芯周りで回転可能に連結され、ピストンロッド１２ｂの先端部が、フィーダケース１８の底面部１８Ｂ側のブラケット３１に対して連結ピン３２を介して、フィーダケース１８に対して相対回動可能に枢支連結されている。
【００３５】
そして、フィーダケース１８の底面部１８Ｂには、油圧シリンダ１２が伸長状態の時に、油圧シリンダ１２の収縮を規制して収穫部３が下降するのを規制する下降規制部３３が上下揺動可能に設けられている。なお、下降規制部３３も油圧シリンダ１２に対応して、底面部１８Ｂのうち機体横幅中間部に近い位置に設けられている。
【００３６】
下降規制部３３は、断面形状が前後方向視で下向き開放状の略Ｕ字形に形成されている。下降規制部３３は、連結ピン３２により横軸芯周りで揺動可能に支持されている。そして、図１０に実線で示すように、下降規制部３３は、油圧シリンダ１２のピストンロッド１２ｂが伸長している伸長状態の場合に、Ｕ字状の開口部によりピストンロッド１２ｂを覆うように下降操作されて、下降規制部３３の遊端部がシリンダチューブ１２ａの一端部１２ａ１に接当する。これにより、下降規制部３３が、底面部１８Ｂとシリンダチューブ１２ａの一端部とに突っ張り作用して使用状態となる。一方、図１０に仮想線で示すように、下降規制部３３は、上昇操作されて底面部１８Ｂに沿うように配置されることで非使用状態となる。このように下降規制部３３は、上下揺動することで使用状態と非使用状態とに姿勢変更可能に構成されている。
【００３７】
下降規制部３３を非作用状態で位置保持並びに解除可能なロック機構３４が備えられている。ロック機構３４は、図１０及び図１１に示すように、フィーダケース１８の底面部１８Ｂに固定された略Ｕ字形のブラケット３５と、ブラケット３５を左右方向に挿通するＬ字形の連結ピン３６と、ブラケット３５の内部に位置して連結ピン３６に外挿されるコイルバネ３７と、連結ピン３６に差し込み装着されてスライド移動量を規制するスナップピン３８とを備えている。下降規制部３３には、連結ピン３６が係合可能な係合孔３９が形成された係止部材４０が備えられている。
【００３８】
連結ピン３６がコイルバネ３７の付勢力にて係止部材４０に係合するように移動付勢される。下降規制部３３が非作用状態にあると、連結ピン３６がコイルバネ３７の付勢力にて係止部材４０の係合孔３９に係合して、下降規制部３３が位置保持される。連結ピン３６をスライドさせて係止部材４０との係合を解除すると、下降規制部３３を作用状態に切り換えることができる。このロック機構３４は、下降規制部３３を非作用状態で確実に位置保持できるとともに、切り換え操作を簡単に行うことができる。
【００３９】
〔従動軸の位置調節構造〕
次に、従動軸２４の位置調節構造について説明する。
フィーダ１１には、図４に示すように、従動軸２４をその軸芯周りで回転可能に支持するとともに、フィーダケース１８に搬送方向に沿って位置変更可能に支持される回転軸支持体４１と、回転軸支持体４１の搬送方向に沿う位置を変更し且つ変更した位置で固定可能な位置調節機構４２とが備えられている。
【００４０】
説明を加えると、図４に示すように、従動軸２４の両端部は、ベアリング４３を介して左右両側に備えられた一対の回転軸支持体４１に夫々横軸芯周りで回転可能に支持されている。左右一対の回転軸支持体４１は夫々、フィーダケース１８の内側に位置する状態で備えられている。
【００４１】
左右の回転軸支持体４１は、３箇所を位置決めボルト４４とナット４５との締結によりフィーダケース１８の左右両側の側壁１８Ａに締結固定されている。３本の位置決めボルト４４の夫々は、回転軸支持体４１と、側壁１８Ａと、側壁１８Ａの外面側に付設された横フレーム４６とに亘って装着するよう構成されている。位置固定用のナット４５は、回転軸支持体４１の内側に溶接固定されている。
【００４２】
図６及び図７に示すように、側壁１８Ａ及び横フレーム４６に形成された３つのボルト挿通孔４７は、フィーダケース１８の前後方向（作物搬送方向）に長い形状に形成されている。つまり、左右の回転軸支持体４１の夫々において、３本の位置決めボルト４４を弛めることで、回転軸支持体４１の側壁１８Ａへの固定を解除でき、回転軸支持体４１の側壁１８Ａへの取付位置を前後方向に変更調節でき、３本の位置決めボルト４４を締め込むことで、回転軸支持体４１を変更した取付位置で側壁１８Ａに固定できる。
【００４３】
〔フレーム構造〕
図４及び図７に示すように、フィーダケース１８の右側に位置する回転軸支持体４１に対する位置調節機構４２に対応する箇所において、フィーダケース１８の右側の側壁１８Ａにおける外側面に、搬送方向に沿って延びる断面略Ｕ字形の右側横フレーム４６が設けられ、右側横フレーム４６は、Ｕ字形の複数の面部分のうちの底面部４６ａがフィーダケース１８の外側面に当て付けられた状態で一体的に溶接固定されている。
【００４４】
説明を加えると、図７に示すように、右側の側壁１８Ａの外側面には、搬送方向に沿って間隔をあけて、前側フレーム４８と後側フレーム４９とが備えられている。前側フレーム４８及び後側フレーム４９は、平面視で略Ｕ字形に形成され、且つ、フィーダケース１８の上下方向の全幅に亘る状態で設けられている。前側フレーム４８及び後側フレーム４９は、右側横フレーム４６と同様に、Ｕ字形の複数の面部分のうちの底面部がフィーダケース１８の外側面に当て付けられた状態で一体的に溶接固定されている。右側横フレーム４６は、前側フレーム４８の後端と後側フレーム４９の前端とに亘って設けられている。右側横フレーム４６の前後両側部は、前側フレーム４８及び後側フレーム４９に一体的に溶接固定されている。
【００４５】
図４及び図６に示すように、フィーダケース１８の左側に位置する回転軸支持体４１に対する位置調節機構４２に対応する箇所において、フィーダケース１８の左側の側壁１８Ａの外側面に、搬送方向に沿って延びる断面略Ｌ字形の左側横フレーム５０が設けられ、左側横フレーム５０は、Ｌ字形の２つの面部分のうちの一方がフィーダケース１８の外側面に接する状態で一体的に溶接固定されている。
【００４６】
左側の側壁１８Ａの外側面には、搬送方向に沿って間隔をあけて、前側フレーム５１と後側フレーム５２とが備えられている。前側フレーム５１は平面視で略Ｌ字形に形成され、且つ、フィーダケース１８の上端部から上下中間位置に亘る状態で設けられている。後側フレーム５２は、平面視で略Ｕ字形に形成され、且つ、フィーダケース１８の上下方向の全幅に亘る状態で設けられている。左側横フレーム５０は、前側フレーム５１及び後側フレーム５２に夫々、一体的に溶接固定されている。このようにして、左右両側の位置調節機構４２に対応する箇所における支持強度を高めるようにしている。
【００４７】
〔位置調節機構〕
位置調節機構４２は、無端回動チェーン２６が張設方向すなわち作物搬送方向に沿って延びて、無端回動チェーン２６の張力が低下した場合に、従動軸２４のフィーダケース１８に対する搬送方向に沿う取付位置を調節して無端回動チェーン２６の張力を調節することができる。
【００４８】
左右の位置調節機構４２は同じ構成であり、図４，６，７に示すように、位置調節機構４２には、搬送方向に沿って延びる調節用ネジ軸５３と、調節用ネジ軸５３と回転軸支持体４１とを連結する連結部５４と、フィーダケース１８に支持され且つ調節用ネジ軸５３が移動可能に挿通する挿通部５５を有する規制案内部５６と、調節用ネジ軸５３に装着された調節用ナット５７と、調節用ナット５７と規制案内部５６とに亘る状態で調節用ネジ軸５３に外挿されたコイルバネ５８と、が備えられている。
【００４９】
調節用ネジ軸５３の後部側の軸端がフランジ部５９に一体的に連結されている。フランジ部５９は、前後向き面部分５９Ａと左右向き面部分５９Ｂとを備えて平面視で略Ｌ字形に形成されている。又、前後向き面部分５９Ａと左右向き面部分５９Ｂとに亘る補強用リブ５９Ｃが設けられている。フランジ部５９は、前後向き面部分５９Ａに調節用ネジ軸５３の後部側の軸端が溶接にて一体的に連結され、左右向き面部分５９Ｂがフィーダケース１８の側壁１８Ａに当て付けられた状態で固定されている。具体的には、フランジ部５９における左右向き面部分５９Ｂが、横フレーム４６（５０）と、側壁１８Ａと、回転軸支持体４１とを共締めする状態で、３つの位置決めボルト４４のうちの最後部側に位置する位置決めボルト４４と、それに螺合装着されるナット４５とにより締結固定されている。従って、最後部側に位置する位置決めボルト４４とナット４５とにより、フィーダケース１８の内外に亘る状態で連結する内外連通部６０が構成され、フランジ部５９と内外連通部６０とにより、調節用ネジ軸５３と回転軸支持体４１とを連結する連結部５４が構成されている。
【００５０】
規制案内部５６は、側壁１８Ａの外面側に付設された横フレーム４６（５０）に固定された状態で支持されている。
図８に示すように、右側の規制案内部５６は、右側横フレーム４６のＵ字形の複数の面部分で囲まれる内側領域の内部において、内側領域の内面に固定される状態で上下方向の全幅に亘って設けられている。すなわち、規制案内部５６は、右側横フレーム４６の底面部に対して直交する姿勢の板体であり、内側領域に位置して、右側横フレーム４６の底面部４６ａ及び左右両側の縦面部４６ｂの夫々に溶接にて一体的に連結されている。
【００５１】
図９に示すように、左側の規制案内部５６は、左側横フレーム５０のＬ字形の２つの面部分（底面部と縦面部）で囲まれる内側領域の内部に設けられている。左側横フレーム５０には、規制案内部５６が備えられる箇所において、底面部５０ａにおける縦面部５０ｂとは反対側端部に、縦板部材６１が溶接にて一体的に固定されている。そして、規制案内部５６は、左側横フレーム５０の底面部５０ａに対して直交する姿勢の板体であり、左側横フレーム５０の底面部５０ａと縦面部５０ｂ、及び、縦板部材６１の夫々に、溶接にて一体的に連結されている。
【００５２】
図８及び図９に示すように、規制案内部５６の外方に開放される端縁から底面側に向けて凹入する切欠６２が形成されている。切欠６２の内奥部により調節用ネジ軸５３が搬送方向に沿って挿通する挿通部５５が構成されている。フランジ部５９が位置決めボルト４４により側壁１８Ａに固定された状態で、調節用ネジ軸５３が挿通部５５を挿通する状態で設置される。
【００５３】
規制案内部５６の前部側において、調節用ネジ軸５３にコイルバネ５８が外挿されている。規制案内部５６とコイルバネ５８との間、及び、調節用ナット５７とコイルバネ５８との間に夫々、座金６３，６４が備えられている。従って、コイルバネ５８の一端部が座金６３を介して規制案内部５６により受止め支持され、コイルバネ５８の他端部が座金６４を介して調節用ナット５７により受止め支持されている。コイルバネ５８は、調節用ナット５７の締め付けと規制案内部５６による受止め支持により圧縮状態となり、伸長方向にバネ付勢力を発生する圧縮バネとして機能する状態で使用される。従って、コイルバネ５８が圧縮バネに相当する。
【００５４】
調節用ナット５７とコイルバネ５８との間に備えられる座金６４に、コイルバネ５８の外周部において調節用ネジ軸５３の軸芯方向に沿って延びる円筒状部材６５が一体的に固定される状態で備えられている。コイルバネ５８の外周側の多くの領域が円筒状部材６５によって覆われているので、コイルバネ５８に泥土等が飛散して堆積してバネの機能が低下する等の不利を回避できる。
【００５５】
このような構成の位置調整機構では、３個の位置決めボルト４４とナット４５との締結を緩めると、調節用ネジ軸５３は回転軸支持体４１と一体的にボルト挿通孔４７の長尺方向に沿ってスライド移動することができる。又、調節用ネジ軸５３は、コイルバネ５８のバネ付勢力により押し操作され、従動軸２４が駆動軸１９から離間する方向に向けて移動付勢される。
【００５６】
そこで、３個の位置決めボルト４４とナット４５との締結を緩めた状態で、無端回動チェーン２６の張力の調整を行うときに、コイルバネ５８の長さが予め設定された所定長さになるように調節用ナット５７の位置を調整することにより、無端回動チェーン２６の張力を適切な値に調整することができる。すなわち、調節用ナット５７をコイルバネ５８に向けて移動するように回転操作すると、調節用ネジ軸５３が前方側へ移動していき、回転軸支持体４１が前方側に移動操作されて従動輪体２５を前方側へ移動させていく。従動輪体２５が前方側へ移動していくことで、従動輪体２５に掛かる無端回動チェーン２６の張力が増大し、コイルバネ５８が圧縮側に弾性変化する。円筒状部材６５と座金６３との間隔Ｄが設定間隔になると、無端回動チェーン２６の張力と、コイルバネ５８の伸長方向に向けての弾性復元力とが釣り合い、無端回動チェーン２６の張力が設定張力の強さになる。そこで３本の位置決めボルト４４を締め付けする。
【００５７】
上記したコイルバネ５８の長さは、コイルバネ５８の圧縮状態におけるバネ付勢力に対応するものであり、しかも、コイルバネ５８の長さは、円筒状部材６５の後端部と規制案内部５６側の座金６３までの離間距離に対応しており、目視により容易に判別できるので、このコイルバネ５８の長さを調整することで、無端回動チェーン２６の張力の調整を過不足のない状態で良好に行うことができる。
【００５８】
例えば、無端回動チェーン２６の弛みが少ない初期状態では、従動輪体２５が駆動軸１９側すなわち後方側に位置する状態で、コイルバネ５８の長さを所定長さに調整することで対応でき、無端回動チェーン２６が伸びて弛みが生じた場合には、従動輪体２５を駆動軸１９側とは反対側すなわち前方側にスライドさせた状態で、コイルバネ５８の長さを所定長さに調整することで対応できる。
【００５９】
上記構成によれば、図４〜図７に示すように、調節用ネジ軸５３と回転軸支持体４１とを連結する連結部５４が、規制案内部５６に対してコイルバネ５８とは反対側に位置する状態で備えられる。調節用ナット５７は規制案内部５６に対して連結部５４とは反対側である前部側に装着される。調節用ネジ軸５３の規制案内部５６よりも前部側箇所は、片持ち状に延出される状態となる。調節用ナット５７に対して工具を装着する際、調節用ネジ軸５３の軸芯方向外方側（前方側）から軸芯方向に移動させながら装着することができる。その結果、例えば、ラチェットレンチ等の工具を用いることができる。ラチェットレンチは、周知の構成であるから図示はしないが、調節用ナット５７に対して軸芯方向に沿って装着することが可能なリング状のソケットを有するとともに、ソケットに一体的に操作レバーが設けられ、ソケットを調節用ナット５７に装着した状態で、操作レバーを往復回動操作しても、調節用ナット５７が一方向にのみ回転操作するラチェット機構を有している。その結果、狭い作業空間であっても、調節用ナット５７の回動操作が行い易いものになる
【００６０】
〔別実施形態〕
（１）上記実施形態では、規制案内部５６に、調節用ネジ軸５３が挿通部５５に向けて径方向に入り込み可能な切欠６２が形成される構成としたが、この構成に代えて、規制案内部５６にボルトが挿通可能な円形の挿通孔を形成する構成としてもよい。
【００６１】
（２）上記実施形態では、ナット５７とコイルバネ５８との間に備えられる座金６４に円筒状部材６５が備えられる構成としたが、この構成に代えて、円筒状部材６５を設けることなく、コイルバネ５８が外方に開放される状態で設けられる構成としてもよい。
【００６２】
（３）上記実施形態では、フィーダケース１８の外側面に断面略Ｕ字形の横フレーム４６が設けられ、位置調節機構４２における調節用ネジ軸５３が、横フレーム４６のＵ字形の複数の面部分で囲まれる内側領域に備えられる構成としたが、この構成に代えて、フィーダケース１８の外側面に断面略Ｌ字形の横フレームを設ける構成としてもよく、このような横フレームを備えずに、フィーダケースの横側壁の剛性を高めて、フィーダケースだけで位置調節機構が備えられる構成としてもよい。
【００６３】
（４）上記実施形態では、フィーダケース１８の外側面に前側フレーム４８と後側フレーム４９とが備えられる構成としたが、この構成に代えて、前側フレーム４８と後側フレーム４９を備えない構成としてもよい。
【産業上の利用可能性】
【００６４】
本発明は、刈取部にて刈取られた刈取穀稈の全稈を後方に向けて搬送する穀稈搬送装置が備えられているコンバインに適用できる。
【符号の説明】
【００６５】
１０        刈取部
１１        フィーダ（穀稈搬送装置）
１８        フィーダケース（搬送ケース）
１９        駆動軸（下手側回転軸）
２２        駆動スプロケット（下手側輪体）
２４        従動軸（上手側回転軸）
２５        従動輪体（上手側輪体）
２６        無端回動チェーン（無端回動体）
２７        搬送部材
４１        回転軸支持体
４２        位置調節機構
４６        横フレーム
４８        前側フレーム
４９        後側フレーム
５３        調節用ネジ軸
５４        連結部
５６        規制案内部
５７        ナット
５８        コイルバネ（圧縮バネ）
５９        フランジ部
６０        内外連通部
６２        切欠
６３，６４  座金
６５        円筒状部材
【図１】
2019187363.tif 000003
【図２】
2019187363.tif 000004
【図３】
2019187363.tif 000005
【図４】
2019187363.tif 000006
【図５】
2019187363.tif 000007
【図６】
2019187363.tif 000008
【図７】
2019187363.tif 000009
【図８】
2019187363.tif 000010
【図９】
2019187363.tif 000011
【図１０】
2019187363.tif 000012
【図１１】
2019187363.tif 000013